(57)【要約】      （修正有）【課題】骨壺や位牌、祭具を安置可能な棚を有する祭壇の構造を提供する。【解決手段】内部に環状の第１軌道２２１と第２軌道２４１が上下に設けられるとともに、第１環状扉２２と第２環状扉２３が設けられ、第１環状扉２２と第２環状扉２３は、それぞれ第１軌道２２１と第２の軌道２４１の間に嵌め込まれ、且つ、当該第１環状扉２２と第２環状扉２３は互いに対応しており、環状の開閉可能な第１安置部１１が形成されるよう、当該第１環状扉２２と第２環状扉２３は第１軌道２２１と第２軌道２４１の間で互いに逆方向に開閉するよう摺動可能であり、第１安置部１１は環状をなすが完全な円形ではない安置空間形態として定義され、当該第１軌道２２１と第２軌道２４１は環状に設計されるが完全な円形形態ではなく、第１安置部１１の後方に矩形の第２安置部１２が形成されるよう、当該第１軌道２２１と第２軌道２４１の棚内における一端には直線状の切欠きが設計されている。【選択図】図３
0003215449.tif 000002
【実用新案登録請求の範囲】
【請求項１】
矩形の棚である祭壇の構造において、内部に環状の第１軌道と第２軌道が上下に設けられるとともに、第１環状扉と第２環状扉が設けられ、第１環状扉と第２環状扉は、それぞれ第１軌道と第２の軌道の間に嵌め込まれ、且つ、当該第１環状扉と第２環状扉は互いに対応しており、環状の開閉可能な第１安置部が形成されるよう、当該第１環状扉と第２環状扉は第１軌道と第２軌道の間で互いに逆方向に開閉するよう摺動可能であり、第１安置部は環状をなすが完全な円形ではない安置空間形態として定義され、当該第１軌道と第２軌道は環状に設計されるが完全な円形形態ではなく、第１安置部の後方に矩形の第２安置部が形成されるよう、当該第１軌道と第２軌道の棚内における一端には直線状の切欠きが設計されている祭壇の構造。
【請求項２】
前記第１軌道と第２軌道の一部は矩形の棚の外側に突出するよう延伸可能なことから、前記第１環状扉と第２環状扉は、閉止状態において一部が矩形の棚の外側に突出する請求項１記載の祭壇の構造。
【請求項３】
複数の側板からなる矩形の棚である祭壇の構造において、上板と下板が設けられ、当該上板には第２固定部が固設され、当該第２固定部には環状の第２軌道が設けられ、当該下板には第１固定部が固設され、当該第１固定部には環状の第１軌道が設けられ、
更に、第１環状扉と第２環状扉が設けられ、当該第１環状扉は上端と下端を備え、当該第２環状扉は上端と下端を備え、第１環状扉と第２環状扉における上端及び下端はそれぞれ第１軌道及び第２軌道に嵌め込み可能であり、当該第１環状扉と第２環状扉は第１軌道と第２の軌道の間で互いに逆方向に摺動することで互いに開閉可能であり、且つ、これにともなって環状の開閉可能な第１安置部が形成され、
当該第１固定部と第２固定部は環状をなすが完全な円形形態ではなく、当該第１固定部と第２固定部の一端は互いに対応する直線状の切欠きとなっており、前記第１固定部と第２固定部の切欠きは、矩形の第２安置部が形成されて空間の有効活用機能が発揮されるよう、第１安置部の後方に設計される祭壇の構造。
【請求項４】
前記第１軌道と第２軌道の一部が安置部の外側に突出するよう延伸可能なことから、前記第１環状扉と第２環状扉は、閉止状態において一部が安置部の外側に突出する請求項３記載の祭壇の構造。
【請求項５】
矩形の棚である祭壇の構造において、棚の両側にそれぞれ対応する環状の第１環状扉と第２環状扉が設けられ、当該第１環状扉と第２環状扉が互いに対応することで第１安置部が形成され、当該第１環状扉と第２環状扉は互いに逆方向に摺動することで離開するとともに、互いに対向するよう摺動することで閉合可能であり、当該第１環状扉及び第２環状扉における互いに対応する対向内面に第２安置部が形成される祭壇の構造。
【請求項６】
前記第１環状扉と第２環状扉は、閉止状態において一部が矩形の棚の外側に突出する請求項５記載の祭壇の構造。
【請求項７】
矩形の棚である祭壇の構造において、棚の両側にそれぞれ対応する環状の第１環状扉と第２環状扉が設けられ、当該第１環状扉と第２環状扉が互いに対応することで第１安置部が形成され、当該第１環状扉と第２環状扉は互いに逆方向に摺動することで離開するとともに、互いに対向するよう摺動することで閉合可能であり、当該第１環状扉及び第２環状扉における互いに対応する対向内面に第２安置部が形成され、
当該第１環状扉と当該第２環状扉は、閉止状態において一部が矩形の棚の外側に突出する祭壇の構造。
【考案の詳細な説明】
【技術分野】
【０００１】
本考案は、故人の位牌や骨壺を安置するための多機能棚に関する。
【背景技術】
【０００２】
従来、骨壺や位牌を祭るための構造は、これらを別々に安置するよう設計されてきた。一般的に、骨壺の安置については積み重ねやすいよう矩形の棚が設計されるのに対し、位牌については祭壇面が別途設計される。礼拝者が骨壺を安置しやすいよう、棚の前方には開閉可能に扉が枢設された開口が設けられている。しかし、位牌や祭具を安置するだけの空間的余裕がないため、礼拝時に通路スペースが占拠されることが多く、礼拝行為や一般的な物品の保管・使用に不便や支障が生じやすかった。
【０００３】
この点に鑑み、本考案者は一般的な棚の空間設計を改良した。
【考案の概要】
【考案が解決しようとする課題】
【０００４】
本考案は、互いに逆方向に開口を開放可能であるとともに、互いに対向することで開口を閉止可能な一対の対応する環状扉が設けられ、このような一対の環状扉が設計されることで、棚内部の後方に骨壺や祭具を安置して空間を十分に活用するための空間的余裕ができるほか、位牌についても安置可能であることを特徴とする位牌や骨壺を安置可能な棚と、祭具を安置可能な空間的余裕を有する収容空間を提供することを主たる目的とする。
【課題を解決するための手段】
【０００５】
本考案の祭壇の構造、特に骨壺や位牌、祭具を安置可能な矩形の棚には第１安置部と第２安置部が設けられ、第１安置部には位牌や祭具が安置される。当該第１安置部の内部には環状の第１軌道と第２軌道が上下に設けられ、第１環状扉と第２環状扉がそれぞれ第１軌道と第２軌道に嵌め込まれる。当該第１環状扉と第２環状扉は互いに対応しており、環状の開閉可能な第１安置部が形成されるよう、当該第１環状扉と第２環状扉は第１軌道と第２軌道の間で互いに逆方向に開閉するよう摺動可能である。当該第１軌道と第２軌道は環状に設計されるが完全な円形形態ではない。前記第１軌道と第２軌道の一端には直線状の切欠きが対応するよう設計されている。この切欠き設計によって第１安置部の後方には矩形の第２安置部が形成されるため、矩形の棚の使用空間が増加する。この使用空間には骨壺や祭具が安置され、空間の有効活用機能が発揮される。
【図面の簡単な説明】
【０００６】
【図１】図１は、本考案の分解図である。
【図２】図２は、本考案の第１固定部と第２固定部、及び第１環状扉と第２環状扉の分解図である。
【図３】図３は、本考案の第１安置部を組み合わせた場合の第１実施例の透視図である。
【図４】図４は、本考案の第１安置部を組み合わせた場合の第２実施例の外観図である。
【図５】図５は、本考案を１つ以上積み重ねた場合の実施状態を示す図である。
【考案を実施するための形態】
【０００７】
図１〜図４に示すように、本考案の祭壇は複数の側板からなる矩形の棚１であり、上板１１ａと下板１１ｂが設けられる。当該上板１１ａには第２固定部２４が固設され、当該第２固定部２４には環状の第２軌道２４１が設けられている。当該下板１１ｂには第１固定部２１が固設され、当該第１固定部２１には環状の第１軌道２２１が設けられている。当該第１固定部２１と第２固定部２４は環状をなすが、完全な円形形態ではない。これらの一端はそれぞれ線形の切欠き２１ａ，２４ａをなしており、これら切欠きの幅は互いに対応している。また、これらの切欠き２１ａ，２４ａが設計されていることから、第１軌道２２１と第２軌道２４１の環状経路は、これら切欠き２１ａ，２４ａが終着点となるよう規制されている。また、第１環状扉２２と第２環状扉２３が設けられており、当該第１環状扉２２には上端２２ａと下端２２ｂが、当該第２環状扉２３には上端２３ａと下端２３ｂが備えられる。第１環状扉２２と第２環状扉２３における上端２２ａ，２３ａ及び下端２２ｂ，２３ｂは、第１軌道２２１及び第２軌道２４１に嵌め込み可能となっている。且つ、当該第１環状扉２２と第２環状扉２３は、第１軌道２２１と第２軌道２４１の間で互いに逆方向に摺動可能である。そのため、前記第１環状扉２２と第２環状扉２３は環状の半円周経路に沿って互いに開閉可能となり、これにより半月型の第１安置部１１が形成される。また、嵌め込まれる第１環状扉２２と第２環状扉２３を表す対向する環状の進行経路もまた切欠き２１ａ，２４ａを終着点とする。このため、前記第１安置部１１の後方には第２安置部１２として矩形の空間が形成される。図３に示すように、当該第２安置部１２には骨壺や祭具を安置可能である。前記第１固定部２１と第２固定部２４はそれぞれ安置部１１における下板１１ｂ及び上板１１ａに組み付けられて位置決めされると、第１固定部２１と第２固定部２４の切欠き２１ａ，２４ａが第１安置部１１の後方に面することから、第１安置部１１の後方に矩形の第２安置部１２が追加される。使用者は、位牌や仏像を安置するために、祭壇の配置板を切欠き２１ａ，２４ａの前方に配置するよう設計する一方、骨壺や祭具を後方の第２安置部１２に安置することが可能である。これにより、空間の有効活用機能が発揮される。図３に示すように、前記第１軌道２２１と第２軌道２４１は第１安置部１１内に隠されているため、前記第１環状扉２２と第２環状扉２３もまた第１安置部１１内に隠される。図４に示すように、他の実施例では、前記第１軌道２２１と第２軌道２４１の一部が矩形の棚１の外側に突出するよう延伸している。そのため、第１環状扉２２と第２環状扉２３は、閉止状態において一部が矩形の棚１の外側に突出することになる。本考案では、図４を最も好ましい実施例とする。
【０００８】
本考案において特に設計される矩形の棚１では、両開き可能な第１環状扉２２と第２環状扉２３を組み合わせることで以下の利点が得られる。
【０００９】
１．第１環状扉２２と第２環状扉２３は、環状経路に沿って開閉することで、祭壇における開口の開放幅を調整可能である。また、第１環状扉２２と第２環状扉２３は矩形の棚１に設けられるため、図５に示すように矩形の棚１を積み重ねやすく、省スペース化が図られる。
【００１０】
２．第１環状扉２２と第２環状扉２３は環状経路に沿って開閉するため、棚の配置空間が改良されて、省スペース化が実現される。一般的な矩形扉の場合には、９０度の垂直経路で開閉する空間形状となるため、扉を９０度の垂直経路に沿って開閉させるための収容空間が必要となる。この場合、棚の配置空間を計画するにあたり、扉を開放する際の空間幅を通路に加味せねばならなくなる。これに対し、本考案では環状経路に沿ってドアを両開きする設計となっている。扉は円周状の経路に沿って開放されるとともに、矩形の棚内に収容される。また、扉が環状の経路に沿って開閉される場合、扉の開閉に要する収容空間は半分ですむ。そのため、棚の配置計画において、通路の幅を省スペース化して設計することが可能となる。
【００１１】
３．第１環状扉２２と第２環状扉２３が両開きの環状経路に沿うよう設計されるに伴い、第１安置部１１が形成される。ただし、矩形の棚１の後方が矩形の第２安置部１２となるよう、第１安置部１１の後方には矩形の第２安置部１２が設計されている。そのため、矩形の棚１の奥行設計を使用者が希望する収容サイズに応じて変更することが可能となる。例えば、２人以上の骨壺を安置したい場合には、第１環状扉２２と第２環状扉２３のサイズを変更することなく、矩形の棚１の後方部分の奥行を拡大すればよい。
【００１２】
上述したように、前記第１安置部１１と第２安置部１２によって、位牌や仏像、骨壺或いはその他の祭具を安置するための複数の収容空間を提供可能となる。
【００１３】
以上より、本考案によれば、複数の空間を備える実用的な祭壇の構造を確実に提供可能であり、関連産業に幅広く応用することができる。本考案には極めて高い進歩性及び新規性がある。且つ、本考案は出願以前に開示されておらず、特許法の規定を満たしているため、法に基づき実用新案として出願する。審査のうえ、権利化されることを切に望む。
【００１４】
なお、上記は本考案を説明するための実施例にすぎず、本考案の実施範囲を限定するものではない。本考案の請求の範囲に基づき実施される等価の変形及び補足は、いずれも本考案の請求の範囲に含まれる。
【符号の説明】
【００１５】
１      棚
１１    第１安置部
１１ａ  上板
１１ｂ  下板
２１    第１固定部
２２１  第１軌道
２４    第２固定部
２４１  第２軌道
２２    第１環状扉
２３    第２環状扉
２２ａ  上端
２２ｂ  下端
２３ａ  上端
２３ｂ  下端
１２    第２安置部
２１ａ，２４ａ  切欠き
【図１】
0003215449.tif 000003
【図２】
0003215449.tif 000004
【図３】
0003215449.tif 000005
【図４】
0003215449.tif 000006
【図５】
0003215449.tif 000007